(57)【要約】【課題】この発明は簡単な構成で確実に、床部を上下動及び傾動させることができるようにしたベッド装置を提供することにある。【解決手段】軸線をベースフレーム１の幅方向に沿わせて所定間隔で離間して回転可能に設けられた一対の回転軸３，５と、各回転軸に一端が固着された第１の上下用リンク８と、第１の上下用リンクに一端が枢着され他端が床部１０に枢着された第２の上下用リンク９と、どちらか一方の回転軸を回転駆動する第１の駆動源１７と、伸縮可能な構成であって、一方の回転軸の回転を他方の回転軸に伝達することで一対の第１、第２の上下用リンクを同期させて駆動して上記床部を水平に上下動させるとともに、伸縮することでどちらか一方の回転軸を回転して床部を長手方向に沿って傾動させるガススプリング２１を具備する。【選択図】    図１
2004337224.tif 000002
【特許請求の範囲】
【請求項１】
床部が上下動及び長手方向に沿って傾動可能に設けられるベッド装置において、
ベースフレームと、
軸線をベースフレームの幅方向に沿わせこのベースフレームの長手方向に所定間隔で離間して回転可能に設けられた一対の回転軸と、
各回転軸に一端が固着された第１の上下用リンクと、
この第１の上下用リンクに一端が枢着され他端が上記床部に枢着された第２の上下用リンクと、
上記ベースフレームに設けられ一方の回転軸を回転駆動する第１の駆動源と、
伸縮可能な構成であって、一端を上記一方の回転軸に枢着し他端を他方の回転軸に枢着して設けられ上記第１の駆動源によって駆動されるどちらか一方の回転軸の回転を他方の回転軸に伝達することで一対の第１、第２の上下用リンクを同期させて駆動して上記床部を水平に上下動させるとともに、伸縮することでどちらか一方の回転軸を回転して上記床部を長手方向に沿って傾動させる第２の駆動源と
を具備したことを特徴とするベッド装置。
【請求項２】
上記床部が上記第２の上下用リンクとともに長手方向に振れるのを制限する振れ止め防止リンクが一端を上記ベースフレームに枢着し他端を一方の第２の上下用リンクに枢着して設けられていることを特徴とする請求項１記載のベッド装置。
【請求項３】
上記第２の駆動源はガススプリングであることを特徴とする請求項１記載のベッド装置。
【発明の詳細な説明】
【０００１】
【発明の属する技術分野】
この発明はマットレスが載置される床部を上下動及び長手方向に沿って傾動させることができるベッド装置に関する。
【０００２】
【従来の技術】
たとえば、病院用のベッド装置では、患者の診察や介護をする際に、患者の高さを診察や介護がし易い高さに調整できるようにするため、患者が仰臥する床部の高さを変えることができるようにしたものがある。それとともに、診察や介護がし易いように、床部に仰臥した利用者の頭部を高くしたり、逆に脚部を高くすることができるよう、上記床部を長手方向に沿って傾動可能にすることが望まされている。その場合、上記床部をベッドフレームに対して上下動及び傾動可能に設けることが要求される。
【０００３】
従来、床部を上下動及び傾動可能とする場合、上記床部を、ベッド装置のベースフレームに対して全く別の上下動用機構と、傾動用機構とによって上下動及び傾動させることができるようにしていた。
【０００４】
すなわち、上記ベースフレームに上下動フレームを上下動用機構によって上下駆動可能に設け、この上下動フレームに上記床部を長手方向に沿って傾動可能に設け、上記傾動用機構によって傾動させるようにしていた。
【０００５】
【発明が解決しようとする課題】
しかしながら、ベッド装置のベースフレームに上下動フレームを上下駆動可能に設け、この上下動フレームに床部を傾動用機構によって傾動可能に設ける構成であると、上記床部を上下動及び傾動させるために、上下動フレームが必要となるため、部品点数の増大や構成の複雑化を招くということがあった。
【０００６】
しかも、上下動フレームを上下動させるための上下動用機構と、この上下動フレームに向けられた床部を傾動させる傾動用機構とが全く別の構成となるため、そのことによっても部品点数の増加や構成の複雑化を招くということがあった。
【０００７】
この発明は、比較的簡単な構成で、しかも確実に床部を上下動及び傾動させることができるようにしたベッド装置を提供することにある。
【０００８】
【課題を解決するための手段】
この発明は、床部が上下動及び長手方向に沿って傾動可能に設けられるベッド装置において、
ベースフレームと、
軸線をベースフレームの幅方向に沿わせこのベースフレームの長手方向に所定間隔で離間して回転可能に設けられた一対の回転軸と、
各回転軸に一端が固着された第１の上下用リンクと、
この第１の上下用リンクに一端が枢着され他端が上記床部に枢着された第２の上下用リンクと、
上記ベースフレームに設けられ一方の回転軸を回転駆動する第１の駆動源と、
伸縮可能な構成であって、一端を上記一方の回転軸に枢着し他端を他方の回転軸に枢着して設けられ上記第１の駆動源によって駆動されるどちらか一方の回転軸の回転を他方の回転軸に伝達することで一対の第１、第２の上下用リンクを同期させて駆動して上記床部を水平に上下動させるとともに、伸縮することでどちらか一方の回転軸を回転して上記床部を長手方向に沿って傾動させる第２の駆動源と
を具備したことを特徴とするベッド装置にある。
【０００９】
上記床部が上記第２の上下用リンクとともに長手方向に振れるのを制限する振れ止め防止リンクが一端を上記ベースフレームに枢着し他端を一方の第２の上下用リンクに枢着して設けられていることが好ましい。
【００１０】
上記第２の駆動源はガススプリングであることが好ましい。
【００１１】
この発明によれば、第１の駆動源によって一対の回転軸を回転させて床部の高さを変えることができ、第２の駆動源によって一方の回転軸だけを回転させて床部を傾動させることができる。
【００１２】
【発明の実施の形態】
以下、図面を参照しながらこの発明の一実施の形態を説明する。
【００１３】
図１はこの発明の一実施の形態に係るベッド装置の側面図であって、このベッド装置はベースフレーム１を備えている。このベースフレーム１は図２に示すように矩形枠状に形成されていて、その四隅部下面にはそれぞれストッパ付きのキャスタ２が設けられている。それによって、ベースフレーム１は移動可能となっている。
【００１４】
上記ベースフレーム１の長手方向中途部には第１の回転軸３が両端部を上記ベースフレーム１の幅方向両端に設けられた一対の第１のブラケット４に回転可能に支持されて架設されている。上記ベースフレーム１の長手方向の一方の端部には第２の回転軸５が両端部を上記ベースフレーム１の幅方向両端に設けられた一対の第２のブラケット６に回転可能に支持されて架設されている。
【００１５】
第１の回転軸３と第２の回転軸５との両端部にはそれぞれ一対の第１の上下用リンク８の一端が固着して設けられている。各第１の上下用リンク８の他端には第２の上下用リンク９の一端が枢着されている。
【００１６】
４本の第２の上下用リンク９の他端は、それぞれ床部１０の下面の長手方向中途部の幅方向両端部に、長手方向に所定間隔で離間して設けられた各一対の第３のブラケット１１に枢着されている。つまり、第１の回転軸３に第１の上下用リンク８を介して設けられた一対の第２の上下用リンク９の他端は上記床部１０の一端部下面の幅方向両端部に枢着され、第２の回転軸５に第１の上下用リンク８を介して設けられた一対の第２の上下用リンク９の他端は上記床部１０の他端部下面の幅方向両端部に枢着されている。
【００１７】
上記床部１０は矩形状の枠体１０ａに床板（図示せず）が支持されている。この床部１０の長手方向一端にはヘッドボード体１２が立設され、他端にはフットボード体１３が立設されている。この床部１０の上面にはマットレス１４が載置され、このマットレス１４上に患者が仰臥するようになっている。
【００１８】
上記ベースフレームの第１の回転軸３側の端部には第４のブラケット１６が設けられている。この第４のブラケット１６には上下駆動用の第１の駆動源１７が枢着されている。この第１の駆動源１７は、詳細は図示しないが内蔵されたモータが作動することによって軸方向に進退駆動される駆動軸１８を有し、この駆動軸１８の先端は上記第１の回転軸３の軸方向中央部に一端を固着して設けられた第１の伝達リンク１９の他端に枢着されている。
【００１９】
上記第１の伝達リンク１９の他端には、傾動駆動用の第２の駆動源を構成するガススプリング２１のシリンダ２２の末端が上記駆動軸１８の先端とともに枢着されている。このガススプリング２１のシリンダ２２から突出したピストンロッド２３の先端には可動部材２４の基端部が連結されている。この可動部材２４の先端部は、上記第２の回転軸５の軸方向中央部に一端を固着した第２の伝達リンク２６の他端に枢着されている。
【００２０】
図２に示すように、上記ベースフレームの長手方向中央部には横桟２７が幅方向に沿って架設されている。この横桟２７の長手方向両端部の上面にはそれぞれ第５のブラケット２８が立設されている。一対の第５のブラケット２８にはほぼへの字状に屈曲した保持リンク２９の一端がそれぞれ枢着されている。各保持リンク２９の他端はそれぞれ第２の上下用リンク９の中途部に連結軸３１を介して枢着されている。
【００２１】
つぎに、上記構成のベッド装置の床部１０を上下動及び傾動させる場合の動作について説明する。
【００２２】
図１は床部１０が下降し、しかも水平な状態を示している。床部１０が水平な状態にあるときには、ガススプリング２１のピストンロッド２３は前進状態、中立状態及び後退状態のうちの、中立状態にある。
【００２３】
この状態から図３に示すように床部１０を上昇させる場合には第１の駆動源１７を作動させてその駆動軸１８を前進方向に作動させる。駆動軸１８が前進すると、第１の伝達リンク１９が図３に矢印で示す時計方向に回転させられるから、この回転に第１の回転軸３が連動して同方向に回転する。
【００２４】
第１の回転軸３が時計方向に回転すると、この回転がガススプリング２１及び第２の伝達リンク２６を介して第２の回転軸５に伝達され、この第２の回転軸５も時計方向に回転する。
【００２５】
第１の回転軸３と第２の回転軸５とが時計方向に回転すると、各回転軸３、５に一端を固着した第１の上下用リンク８が連動して回転し、他端が図１に示す位置から図３に示す位置に上昇する。
【００２６】
第１の上下用リンク８の他端が上昇すると、この他端に一端が枢着された第２のリンク９が連動して上昇する。つまり、第１の上下用リンク８と第２の上下用リンク９とがなす角度が大きくなって上記第２の上下用リンク９が上昇するから、４本の第２のリンク９の他端に枢着された床部１０が上昇することになる。
【００２７】
一端が第１の上下用リンク８に枢着され、他端が上記床部１０の下面に設けられた第３のブラケット１１に枢着された第２の上下用リンク９は回動可能な状態であるから、床部１０が前後方向に振れる虞がある。
【００２８】
しかしながら、床部１０に連結された一対の第２の上下用リンク９の中途部と、ベースフレーム１に設けられた第５のブラケット２８の間には保持リング２９が一端と他端とをそれぞれ枢着されて架設されている。そのため、一方の第２の上下用リング９が第１の上下用リンク８に対して自由に回動するのが制限されるから、上記床部１０が長手方向に振れることがない。
【００２９】
つまり、上記床部１０は図１に示す下降状態や図３に示す上昇状態のいずれの状態にあっても、長手方向に振れ動くことがないから、安定した状態で使用することが可能である。
【００３０】
床部１０を図３に示すように上昇させた状態から図４に示すようにフットボード体１３側が低くなるよう傾動させるには、中立状態にあるガススプリング２１のピストンロッド２３を、シリンダ２２に没入する後退方向に駆動する。ピストンロッド２３が後退すると、その後退に可動部材２４及び第２の伝達リンク２６が連動するから、この第２の伝達リンク２６によって第２の回転軸５が図４に矢印で示す反時計方向に回転する。
【００３１】
それによって、第２の回転軸５に一端が固着された第１の上下用リンク８の他端が下降するから、この下降に第２の上下用リンク９が連動して下降するため、床部１０のフットボード１３側が下降することになる。
【００３２】
床部１０のフットボード１２側を下降させる際、ガススプリング２１の反力はシリンダ２２が連結された第１の伝達リンク１９の他端を介して第１の回転軸３に伝達される。
【００３３】
しかしながら、上記第１の伝達リンク１９の他端には第１の駆動源１７の駆動軸１８が連結され、この駆動軸１８は軸方向に進退しないから、上記ガススプリング２１の反力によって第１の回転軸３が回転するのが阻止される。したがって、床部１０のヘッドボード体１２側が上昇或いは下降し、床部１０の傾動角度が不安定になるということがない。
【００３４】
図３に示す床部１０が水平に上昇した状態から、図５に示すようにヘッドボード１２側を下降させる場合には、図３に示すように中立状態にあるガススプリング２１のピストンロッド２３を、シリンダ２２から突出する前進方向へ駆動する。ピストンロッド２３を前進方向に駆動すると、その動きに可動部材２４を介して第２の伝達リンク２６が連動し、図５に矢印で示す時計方向に回転する。
【００３５】
第２の伝達リンク２６が時計方向に回転すると、この第２の伝達リンク２６が固着された第２の回転軸５が図５に同方向に回転駆動されるから、この第２の回転軸５の回転に一端が固着された第１の上下用リンク８が連動し、他端が上昇する。
【００３６】
第１の上下用リンク８の他端が上昇すると、その上昇に第２の上下用リンク９が連動して上昇し、第１の上下用リンク８とでなす角度が大きくなるから、この第２の上下用リンク９の他端に連結された床部１０のフットボード１３側が上昇し、ヘッドボード１２側が下降することになる。
【００３７】
このときも、ガススプリング２１の反力を受ける第１の回転軸３は第１の駆動源１７によって回転するのが阻止されるから、ピストンロッド２３が前進駆動しても、第１の回転軸３が回転することがない。そのため、床部１０のフットボード１３側を上昇させても、ヘッドボード体１２側が上昇或いは下降し、床部１０の傾動角度が不安定になるということがない。
【００３８】
このように、ベースフレーム１に設けられた第１の回転軸３と第２の回転軸５とに、第１の上下用リンク８と第２の上下用リンク９を介して床部１０を設け、上記第１の回転軸３を第１の駆動源１７によって回転駆動することで、各回転軸３、５の第１、第２の上下用リンク８．９を連動させて上記床部１０を上下駆動させることができるようにした。
【００３９】
また、上記第１の回転軸３と第２の回転軸５との間に伸縮可能なガススプリング２１を設け、このガススプリング２１を伸縮させることで、上記第２の回転軸５を反時計方向或いは時計方向に選択的に回転させることで、上記床部１０を所定方向に傾動させることができるようにした。
【００４０】
そのため、第１の駆動源１７とガススプリング２１とによって床部１０を直接上下動及び傾動させることができるため、従来のように上下用フレームを設けずにすみ、その分、部品点数の減少や構成の簡略化を図ることができる。
【００４１】
ガススプリング２１を第１の回転軸３と第２の回転軸５との間に設けることで、床部１０を上下動可能に支持した第１、第２の上下用リンク８、９を利用して上記床部１０を傾動さることができるようにした。
【００４２】
つまり、第１、第２の上下用リンク８、９とガススプリング２１とを、床部１０の上下動と傾動との両方の動作のための部品として兼用することができる。そのため、そのことによっても、部品点数の減少と、それによる構成の簡略化とを図ることができる。
【００４３】
この発明は上記一実施の形態に限定されるものでなく、たとえば第２の駆動源としてガススプリングを用いたが、ガススプリングに代わり、第１の駆動源と同様、モータによって駆動軸が軸方向に進退駆動される構成の駆動源を用い、この駆動源を第１の回転軸と第２の回転軸とに設けられた第１、第２の伝達リンク間に設けるようにしてもよい。
【００４４】
上記一実施の形態では、床部を図３に示すように上昇させた状態で傾動させる場合について説明したが、図１に示すように床部が下降した状態でガススプリングを作動させ、その床部を傾動させるようにしてもよい。
【００４５】
【発明の効果】
以上のようにこの発明は、第１の駆動源によって一対の第１、第２の上下用リンクを作動させて床部の高さを変えることができるようにし、第２の駆動源によって一方の第１、第２のリンクを作動させて床部を傾動させることができるようにした。
【００４６】
そのため、従来のようにベースフレームに上下動専用の上下動フレームを設ける必要がないから、その分、部品点数を少なくし、構成の簡略化を図ることができる。
【図面の簡単な説明】
【図１】この発明の一実施の形態に係るベッド装置の床部が下降状態にある正面図。
【図２】床部を除去したベッド装置の平面図。
【図３】床部を上昇させたベッド装置の正面図。
【図４】フットボード体側が低くなるよう床部を傾動させたベッド装置の正面図。
【図５】ヘッドボード体側が低くなるよう床部を傾動させたベッド装置の正面図。
【符号の説明】
１…ベッドフレーム、８…第１の上下用リンク、９…第２の上下用リンク、１０…床部、１４…マットレス、１７…第１の駆動源、１８…駆動軸、１９…第１の伝達リンク、２１…ガススプリング（第２の駆動源）、２２…シリンダ、２３…ピストンロッド、２６…第２の伝達リンク、２９…保持リンク。
【図１】
2004337224.tif 000003
【図２】
2004337224.tif 000004
【図３】
2004337224.tif 000005
【図４】
2004337224.tif 000006
【図５】
2004337224.tif 000007